(57)【要約】【課題】熱交換器における空気の流入領域が、前後方向において羽根車のシュラウドよりも背板側にずれた位置にある空気調和機において、コンパクト化しつつ騒音の増大を抑制する。【解決手段】空気調和機１１は、互いに対向する前板２５及び背板２６を有するケース２０と、シュラウド５４を有し、ケース２０内に設けられた斜流式又は遠心式の羽根車５１と、羽根車５１から吹き出される空気の流入領域Ｅ１が、前後方向においてシュラウド５４よりも背板２６側にずれた位置に設けられた熱交換器１５と、シュラウド５４の径方向外側に配置されており、羽根車５１が回転したときにシュラウド５４の周囲に生じる空気の旋回流Ｃの一部を流入領域Ｅ１に案内する気流案内部９０とを備える。【選択図】図７
2013137174.tif 000002
【特許請求の範囲】
【請求項１】
互いに対向する前板（２５）及び背板（２６）を有するケース（２０）と、
シュラウド（５４）を有し、前記ケース（２０）内に設けられた斜流式又は遠心式の羽根車（５１）と、
前記羽根車（５１）から吹き出される空気の流入領域（Ｅ１）が、前後方向において前記シュラウド（５４）よりも背板（２６）側にずれた位置に設けられた熱交換器（１５）と、
前記シュラウド（５４）の径方向外側に配置されており、前記羽根車（５１）が回転したときに前記シュラウド（５４）の周囲に生じる空気の旋回流（Ｃ）の一部を前記流入領域（Ｅ１）に案内する気流案内部（９０）と、を備える空気調和機。
【請求項２】
前記シュラウド（５４）の径方向外側に位置し、かつ空気を通過させない複数の壁部には、前記羽根車（５１）との間に前記熱交換器（１５）が介在する第１壁部（２３，２４）と、前記第１壁部（２３，２４）よりも前記シュラウド（５４）の近くに配置され、前記羽根車（５１）との間に前記熱交換器（１５）が介在しない第２壁部（２２，４１）とが含まれる、請求項１に記載の空気調和機。
【請求項３】
前記気流案内部（９０）は、前記第２壁部（２２，４１）に向かって流れる旋回流（Ｃ）の一部を前記流入領域（Ｅ１）に案内するための第１気流案内部（９１）を含み、
前記第１気流案内部（９１）は、
前記シュラウド（５４）の周方向に沿いながら前記第２壁部（２２，４１）に向かって延び、旋回流（Ｃ）をシュラウド（５４）の周方向に沿って案内する旋回流案内面（Ｓ）と、
旋回流（Ｃ）の上流側の縁部同士が前記旋回流案内面（Ｓ）と接続されており、前記縁部から周方向に対して径方向外側に逸れる方向に延び、旋回流（Ｃ）の一部を周方向に対して径方向外側に逸れる方向に案内する第１案内面（Ｇ１）と、
前記第１案内面（Ｇ１）によって案内された気流を前記熱交換器（１５）の前記流入領域（Ｅ１）側に案内する第２案内面（Ｇ２）と、を含む、請求項２に記載の空気調和機。
【請求項４】
前記気流案内部（９０）は、前記第２壁部（２２，４１）に沿って流れる旋回流（Ｃ）の一部を前記流入領域（Ｅ１）に案内するための第２気流案内部（９２）を含み、
前記第２気流案内部（９２）は、
前記第２壁部（２２，４１）に沿って流れる旋回流（Ｃ）の一部を周方向に対して径方向外側に逸れる方向に案内する第１案内面（Ｇ１）と、
前記第１案内面（Ｇ１）によって案内された気流を前記熱交換器（１５）の前記流入領域（Ｅ１）側に案内する第２案内面（Ｇ２）と、を含む、請求項２又は３に記載の空気調和機。 
【発明の詳細な説明】
【技術分野】
【０００１】
本発明は、斜流式又は遠心式の羽根車を備えた空気調和機に関する。
【背景技術】
【０００２】
従来、空気調和機において遠心送風機や斜流送風機が用いられている。遠心送風機は、遠心式の羽根車を有しており、この羽根車内に軸方向に吸い込んだ空気を回転軸から遠ざかる方向（遠心方向）に吹き出す構造を有している。斜流送風機は、斜流式の羽根車を有しており、この羽根車内に軸方向に吸い込んだ空気を遠心方向に対して傾斜した方向に吹き出す構造を有している。
【０００３】
例えば特許文献１には、遠心送風機と、この遠心送風機の左右両サイドに設けられた一対の熱交換器とを備えた空気調和機が開示されている。この空気調和機では、羽根車は、両サイドに設けられた一対の熱交換器と、上方に設けられたケースの天板と、下方に設けられたケースの底板とによって周囲が囲まれている。
【先行技術文献】
【特許文献】
【０００４】
【特許文献１】特開２００９−１１５３５１号公報
【発明の概要】
【発明が解決しようとする課題】
【０００５】
特許文献１に開示されている空気調和機では、特許文献１の図１に示されているように、一対の熱交換器は、回転軸に対して傾斜した姿勢でケース内に配置されており、各熱交換器における空気の流入領域は、前後方向において羽根車のシュラウドよりも背板（背面パネル）側にずれた位置にある。このような場合、羽根車が回転することによってシュラウドの周囲を空気が旋回する旋回流は、シュラウドの周囲に留まりやすくなるため、旋回流の風速が大きくなりやすい。旋回流の風速の増大は、騒音増大の原因となる。特に、空気調和機のコンパクト化が推し進められると、羽根車のシュラウドとケースの壁部とがより近接する構造となるので、旋回流の流速がさらに大きくなり、騒音がさらに増大する。
【０００６】
本発明の目的は、熱交換器における空気の流入領域が、前後方向において羽根車のシュラウドよりも背板側にずれた位置にある空気調和機において、コンパクト化しつつ騒音の増大を抑制することである。
【課題を解決するための手段】
【０００７】
本発明の空気調和機は、互いに対向する前板（２５）及び背板（２６）を有するケース（２０）と、シュラウド（５４）を有し、前記ケース（２０）内に設けられた斜流式又は遠心式の羽根車（５１）と、前記羽根車（５１）から吹き出される空気の流入領域（Ｅ１）が、前後方向において前記シュラウド（５４）よりも背板（２６）側にずれた位置に設けられた熱交換器（１５）と、前記シュラウド（５４）の径方向外側に配置されており、前記羽根車（５１）が回転したときに前記シュラウド（５４）の周囲に生じる空気の旋回流（Ｃ）の一部を前記流入領域（Ｅ１）に案内する案内面（Ｇ）を有する気流案内部（９０）と、を備える。
【０００８】
この構成では、熱交換器（１５）の流入領域（Ｅ１）が前後方向においてシュラウド（５４）よりも背板（２６）側にずれた位置に設けられていても、旋回流（Ｃ）の一部は、気流案内部（９０）の案内面（Ｇ）によって熱交換器（１５）の流入領域（Ｅ１）に案内されるので、旋回流（Ｃ）の風量が低減される。これにより、旋回流（Ｃ）の風速が増大するのを抑制できるので、騒音の増大を抑制することができる。したがって、このような構成を採用すれば、空気調和機をコンパクト化しつつも騒音増加を抑制することができる。
【０００９】
前記空気調和機において、前記シュラウド（５４）の径方向外側に位置し、かつ空気を通過させない複数の壁部には、前記羽根車（５１）との間に前記熱交換器（１５）が介在する第１壁部（２３，２４）と、前記第１壁部（２３，２４）よりも前記シュラウド（５４）の近くに配置され、前記羽根車（５１）との間に前記熱交換器（１５）が介在しない第２壁部（２２，４１）とが含まれるのが好ましい。このように第２壁部（２２，４１）がシュラウド（５４）に近づけられることによって空気調和機のコンパクト化が図られている。
【００１０】
前記空気調和機において、前記気流案内部（９０）は、前記第２壁部（２２，４１）に向かって流れる旋回流（Ｃ）の一部を前記流入領域（Ｅ１）に案内するための第１気流案内部（９１）を含み、第１気流案内部（９１）は、シュラウド（５４）の周方向に沿いながら前記第２壁部（２２，４１）に向かって延び、旋回流（Ｃ）をシュラウド（５４）の周方向に沿って案内する旋回流案内面（Ｓ）と、旋回流（Ｃ）の上流側の縁部同士が前記旋回流案内面（Ｓ）と接続されており、前記縁部から周方向に対して径方向外側に逸れる方向に延び、旋回流（Ｃ）の一部を周方向に対して径方向外側に逸れる方向に案内する第１案内面（Ｇ１）と、前記第１案内面（Ｇ１）によって案内された気流を前記熱交換器（１５）の前記流入領域（Ｅ１）側に案内する第２案内面（Ｇ２）と、を含んでいるのが好ましい。
【００１１】
この構成では、第２壁部（２２，４１）に向かって流れる旋回流（Ｃ）は、第２壁部（２２，４１）に衝突する前に、旋回流案内面（Ｓ）と第１案内面（Ｇ１）との縁部同士が接続された部位（稜線（Ｒ））においてシュラウド（５４）の周方向の流れと周方向に対して径方向外側に逸れる方向の流れとに分岐される。これにより、第２壁部（２２，４１）に向かって流れる旋回流（Ｃ）が第２壁部（２２，４１）に衝突するのが回避されるので、旋回流（Ｃ）の乱れが抑制される。そして、旋回流（Ｃ）の一部を、第１案内面（Ｇ１）及び第２案内面（Ｇ２）によって流入領域（Ｅ１）に円滑に案内することができる。
【００１２】
前記空気調和機において、前記気流案内部（９０）は、前記第２壁部（２２，４１）に沿って流れる旋回流（Ｃ）の一部を前記流入領域（Ｅ１）に案内するための第２気流案内部（９２）を含み、第２気流案内部（９２）は、前記第２壁部（２２，４１）に沿って流れる旋回流（Ｃ）の一部を周方向に対して径方向外側に逸れる方向に案内する第１案内面（Ｇ１）と、前記第１案内面（Ｇ１）によって案内された気流を前記熱交換器（１５）の前記流入領域（Ｅ１）側に案内する第２案内面（Ｇ２）と、を含む。
【００１３】
この構成では、前記第２壁部（２２，４１）に沿って流れる旋回流（Ｃ）の一部を、第１案内面（Ｇ１）及び第２案内面（Ｇ２）によって流入領域（Ｅ１）に円滑に案内することができる。
【発明の効果】
【００１４】
本発明によれば、熱交換器における空気の流入領域が、前後方向において羽根車のシュラウドよりも背板側にずれた位置にある空気調和機において、コンパクト化しつつ騒音の増大を抑制することができる。
【図面の簡単な説明】
【００１５】
【図１】本発明の第１実施形態に係る空気調和機の室内機を示す斜視図である。
【図２】前記室内機の内部構造を示す斜視図である。
【図３】図１のＩＩＩ−ＩＩＩ線断面図である。
【図４】図２のＩＶ−ＩＶ線断面図である。
【図５】前記室内機の送風機を示す断面図である。
【図６】前記室内機の熱交換器を示す斜視図である。
【図７】前記室内機を正面から見たときの概略図であり、送風機の羽根車と、熱交換器と、気流案内部との位置関係を示している。
【図８】（Ａ）は、熱交換器と、気流案内部との位置関係を示す斜視図であり、（Ｂ）は、図７におけるＶＩＩＩＢ−ＶＩＩＩＢ線断面図である。
【図９】（Ａ）は、第１実施形態に係る室内機の変形例であって、熱交換器と、気流案内部との位置関係を示す斜視図であり、（Ｂ）は、その断面図である。
【図１０】本発明の第２実施形態に係る空気調和機の室内機を正面から見たときの概略図であり、送風機の羽根車と、熱交換器と、気流案内部との位置関係を示している。
【図１１】（Ａ）は、熱交換器と、気流案内部との位置関係を示す斜視図であり、（Ｂ）は、図１０におけるＸＩＢ−ＸＩＢ線断面図である。
【図１２】本発明の第３実施形態に係る空気調和機の室内機を正面から見たときの概略図であり、送風機の羽根車と、熱交換器と、気流案内部との位置関係を示している。
【発明を実施するための形態】
【００１６】
［第１実施形態］
以下、本発明の第１実施形態に係る空気調和機の室内機１１について図面を参照して説明する。
【００１７】
＜室内機の全体構造＞
図１〜図５に示すように、室内機１１は、斜流式又は遠心式の羽根車５１（本実施形態では斜流式の羽根車５１）と、この羽根車５１を回転させるモータ４９と、羽根車５１の両サイドに配置された一対の熱交換器１５，１５と、これらの熱交換器１５，１５において生じる結露水を収容するドレンパン３０と、気流案内部９０と、これらを収容するケース２０とを備える。羽根車５１とモータ４９は、送風機１３を構成している。なお、以下の説明では、室内機１１の上方Ｕ、下方Ｄ、右方Ｒ、左方Ｌ、前方Ｆ及び後方Ｂを、図１及び図２において矢印で示す方向とする。
【００１８】
室内機１１のケース２０は、前後方向の厚みが薄く、上下方向の高さよりも左右方向の幅の方が大きな直方体形状を有している。室内機１１は、モータ４９の回転軸Ａの軸方向が前後方向に向いた姿勢で送風機１３（斜流送風機又は遠心送風機）をケース２０内に配置することにより、クロスフローファンを用いる場合に比べて前後方向に薄型化されている。また、室内機１１は、熱交換器１５を前後方向に対して傾斜させてケース２０内に配置することにより、前後方向に薄型化されている。さらに、室内機１１は、送風機１３の両サイドに熱交換器１５を配置することにより、上下方向に小型化されている。
【００１９】
室内機１１では、ケース２０の前部から吸い込まれた空気は、羽根車５１の遠心方向又は遠心方向に対して後方Ｂ（背板２６側）に傾斜した方向に流れ、右方Ｒ又は左方Ｌの熱交換器１５において熱交換された後、ケース２０の前面両サイドから室内に吹き出される（図４参照）。
【００２０】
図１、図３及び図４に示すように、ケース２０は、底板２１、天板２２、右側板２３、左側板２４、前板（化粧前板）２５、背板２６及びベルマウス２８を有している。前板２５は、吸込口開閉板２５１と、この吸込口開閉板２５１の両サイドに配置された一対の吹出口開閉板２５２，２５２とを含む。
【００２１】
吸込口開閉板２５１は、羽根車５１の前方Ｆに配置されており、前板２５の大半の領域を占める矩形状を有している。右側の吹出口開閉板２５２は、右側の熱交換器１５の前方Ｆに配置されており、上下方向に長い矩形状を有している。左側の吹出口開閉板２５２は、左側の熱交換器１５の前方Ｆに配置されており、上下方向に長い矩形状を有している。ケース２０には、ケース２０内の空気を室内に吹き出すための一対の吹出口２５ｂが設けられている。一対の吹出口２５ｂは、正面視で吸込口２５ａの右方Ｒと左方Ｌに設けられており、吹出口開閉板２５２，２５２の真後ろに位置している。
【００２２】
吸込口開閉板２５１は、底板２１及び天板２２に対して前後方向に進退移動可能に図略の支持部材を介して底板２１及び天板２２に支持されている。吸込口開閉板２５１は、室内機１１の未使用時には、図１において実線で示すように吸込口２５ａを閉じた閉状態にある。一方、室内機１１の使用時には、図１において二点鎖線で示すように吸込口開閉板２５１が前方Ｆに移動し、吸込口開閉板２５１の上縁部２５１ａ、下縁部２５１ｂ及び側縁部と、底板２１の前縁部２１ａ、天板２２の前縁部２２ａ及び吹出口開閉板２５２，２５２の側縁部との間に隙間が形成され、これらの隙間から空気がケース２０内に流入する。
【００２３】
右側の吹出口開閉板２５２は、その左縁部２５２ａを中心に回動可能に底板２１の前縁部２１ａ及び天板２２の前縁部２２ａに支持されている。室内機１１の未使用時には、図１において実線で示すように吹出口２５ｂが吹出口開閉板２５２によって閉じられた状態である。一方、室内機１１の使用時には、左縁部２５２ａを中心に吹出口開閉板２５２が前方Ｆに回動し、図１において二点鎖線で示すように吹出口開閉板２５２の右縁部２５２ｂと右側板２３の前縁部２３ａとの間に隙間が形成され、この隙間からケース２０内の空気が室内に流出する。左側の吹出口開閉板２５２の動作もこれと同様である。
【００２４】
背板２６の右サイドには、右方Ｒにいくにつれて前方Ｆに位置するように傾斜した傾斜壁２６Ｒ（図４参照）が設けられており、右側の熱交換器１５は、その側部が傾斜壁２６Ｒに隣接するように配置されている。背板２６の左サイドには、左方Ｌにいくにつれて前方Ｆに位置するように傾斜した傾斜壁２６Ｌ（図４参照）が設けられており、左側の熱交換器１５は、その側部が傾斜壁２６Ｌに隣接するように配置されている。
【００２５】
ベルマウス２８は、前後方向に円形に開口する吸込口２５ａを有しており、前板２５と羽根車５１の間に配置されており、空気を羽根車５１に案内する。
【００２６】
図２〜図４に示すように、室内機１１は、羽根車５１から各熱交換器１５までの空気流路とドレンパン３０の後述する水収容空間とを仕切る板状の仕切り部材４１をさらに備える。この仕切り部材４１は、底板２１に平行な姿勢で羽根車５１の下方に配置されている。仕切り部材４１は、ドレンパン３０の前壁３０Ｆと後壁３０Ｂとの間に架け渡されている。
【００２７】
図５に示すように、送風機１３は、斜流式の羽根車５１と、モータ４９とを備える斜流送風機である。
【００２８】
モータ４９は、ステータ４３、ロータ４５及び非回転軸８０を有するアウターロータ型モータである。モータ４９は、ケース２０の背板２６の内面に固定されており、上述したように、羽根車５１及びモータ４９は、回転軸Ａの軸方向が前後方向に向く姿勢でケース２０内に配置されている。
【００２９】
ステータ４３は、直径よりも前後方向の厚みの方が小さい扁平な略円柱形状を有している。ステータ４３は、その背面がケース２０の背板２６の内面に対向するように配置されている。ステータ４３の後端部には半径方向外側に延びるフランジ部４８が設けられている。フランジ部４８に取り付けられる図略の固定部材によってモータ４９は背板２６に固定されている。ステータ４３の内部にはコイル４４が配置されている。ステータ４３の中心部には前後方向に貫通する貫通孔４６が形成されている。
【００３０】
非回転軸８０は、回転軸Ａの方向に延びる柱状の部材である。非回転軸８０の後方Ｂ側の部位（後方軸部）がステータ４３の貫通孔４６内に配置されることにより、非回転軸８０は、ステータ４３に支持されている。非回転軸８０の前方Ｆ側の部位（前方軸部）は、ステータ４３よりも前方Ｆに突出している。非回転軸８０は、ボルトＢ１によってステータ４３に固定されている。
【００３１】
ロータ４５は、前後方向に貫通する挿通孔を中央に有する正面視で円環状の固定部４５ａと、この固定部４５ａの周縁から後方Ｂに円筒状に延びるロータ本体４５ｂとを含む。ロータ４５は、固定部４５ａの前面が羽根車５１のハブ５３の背面に当接した状態でハブ５３に固定されている。固定部４５ａの挿通孔には非回転軸８０の前方軸部が挿通されている。ロータ本体４５ｂは、ステータ４３の外周面を覆うようにステータ４３の半径方向外側に配置されている。ロータ４５とステータ４３との間には、ロータ４５の回転時に両者が接触しないように所定の隙間が設けられている。
【００３２】
羽根車５１は、モータ４９に固定された正面視で円形のハブ５３と、ベルマウス２８の後端が挿入された円形の開口部を有するシュラウド５４と（図２，３参照）、このシュラウド５４とハブ５３との間に周方向に沿って配列された複数の羽根５５とを含む。
【００３３】
ハブ５３は、回転軸Ａの方向における前端に位置する前端面５３Ｆと、後端に位置する後縁５３Ｂと、前端面５３Ｆと後縁５３Ｂとの間に位置する傾斜面５３Ｋと、前端面５３Ｆ及び傾斜面５３Ｋの背面側に位置し、ロータ４５の固定部４５ａが固定される前述の背面とを有している。ハブ５３の後縁５３Ｂは、傾斜面５３Ｋの後端でもある。傾斜面５３Ｋは、後方Ｂに向かうにつれて外径が大きくなる。各羽根５５の後端部は傾斜面５３Ｋに接合されている。後縁５３Ｂは、ステータ４３及びロータ本体４５ｂよりも半径方向外側に位置している。
【００３４】
ハブ５３は、前後方向に貫通する貫通孔を中央に有している。この貫通孔には非回転軸８０の前方軸部と、軸受け部６０とが配置されている。軸受け部６０は、非回転軸８０の前方軸部と羽根車５１との間に設けられており、羽根車５１が非回転軸８０の回りに回転可能なように羽根車５１を支持している。
【００３５】
シュラウド５４の内周面は、その内径が背板２６側に向かうほど大きくなる湾曲面であり、シュラウド５４の外周面は、その外径が背板２６側に向かうほど大きくなる湾曲面である。羽根車５１が回転することによってシュラウド５４の周囲には空気の旋回流Ｃが生じる（図７参照）。シュラウド５４の外周面は、ベルマウス２８の外周面とともに旋回流Ｃの流路の一部（径方向内側の領域）を区画している（図３，４参照）。
【００３６】
図２及び図４に示すように、右側の熱交換器１５は、羽根車５１の右方Ｒに配置され、左側の熱交換器１５は、羽根車５１の左方Ｌに配置されている。各熱交換器１５は、羽根車５１よりも空気の流れ方向の下流側に位置している。各熱交換器１５は、上下方向に長い直方体形状を有しており、下端部が後述するドレンパン３０内に位置し、上端部が天板２２に近接又は当接している。図４に示すように、右側の熱交換器１５は、前面部１５Ｆが後面部１５Ｂよりも左方Ｌに位置するように前後方向に対して傾斜して配置されている。同様に、左側の熱交換器１５は、前面部１５Ｆが後面部１５Ｂよりも右方Ｒに位置するように前後方向に対して傾斜して配置されている。
【００３７】
図６は、左側の熱交換器１５を示す斜視図である。右側の熱交換器１５は、左側の熱交換器１５とほぼ同様の構成であるので、その詳細な説明は省略する。図６に示すように、熱交換器１５は、扁平な形状を有する複数の金属管１６と、複数の伝熱フィン１７とを備える。
【００３８】
本実施形態の熱交換器１５は、小型で熱交換の効率が高いマイクロチャネル式などの熱交換器（例えばアルミニウム製積層型熱交換器）である。この場合、金属管１６としては、例えば複数の冷媒流路が形成された多穴管を用いることができ、伝熱フィン１７としては、例えばコルゲートフィンを用いることができる。各伝熱フィン１７は、金属管１６，１６の間に配置されている。各金属管１６には、上下方向に延びる図略の冷媒流路が形成されている。
【００３９】
熱交換器１５は、流入領域Ｅ１と、非流入領域Ｅ２とを有する。流入領域Ｅ１は、羽根車５１から吹き出される空気が熱交換器１５内に流入する領域である。流入領域Ｅ１は、最も前板２５側に位置する伝熱フィン１７と最も背板２６側に位置する伝熱フィン１７との間の領域であり、複数の金属管１６と複数の伝熱フィン１７とにより形成された多数の空気流入口が開口している領域である。
【００４０】
流入領域Ｅ１は、前後方向においてシュラウド５４よりも背板２６側にずれた位置に設けられている。本実施形態において、流入領域Ｅ１がシュラウド５４よりも背板２６側にずれた位置にあるとは、シュラウド５４の外周面と流入領域Ｅ１とが、径方向において全く対向していない場合だけでなく、シュラウド５４の外周面における背板２６側の端部と、流入領域Ｅ１における前板２５側の端部とが径方向において多少の重なりがある場合も含む。
【００４１】
非流入領域Ｅ２は、上述のような空気流入口を有していない領域であり、流入領域Ｅ１よりも前板２５側に位置する領域である。本実施形態では、非流入領域Ｅ２は、熱交換器１５の前面部１５Ｆと、この前面部１５Ｆに隣接する内側面部１５Ａとが設けられている領域である。前面部１５Ｆは、最も前板２５側に位置する金属管１６における前端面（幅方向の広さを有する面）であり、内側面部１５Ａは、最も前板２５側に位置する金属管１６における内側面（厚み方向の広さを有する面）である。
【００４２】
図２及び図３に示すように、ドレンパン３０は、羽根車５１及び一対の熱交換器１５，１５の下方に配置されている。ドレンパン３０は、上部が開口し、水を収容する水収容空間を有している。水収容空間は、右側の熱交換器１５と、左側の熱交換器１５とにまたがる範囲に設けられている。ドレンパン３０は、一対の熱交換器１５，１５の下端部に対向する底部と、この底部の周縁から上方に起立する壁部とを有している。水収容空間は、底部と壁部とによって区画される空間である。
【００４３】
図３に示すように、ドレンパン３０は、ケース２０の底板２１よりも高い位置に配置されており、ドレンパン３０の下面とケース２０の底板２１の上面との間には収容空間５８が形成されている。収容空間５８には、電装品ケース１００、ドレンホース５６などが収容される。
【００４４】
モータ４９によって羽根車５１が回転すると、吸込口２５ａからケース２０内に吸い込まれた空気は、図４に二点鎖線で示すように後方Ｂに向かって羽根車５１に流入し、羽根車５１内を斜め後方に進み、羽根車５１から遠心方向又は遠心方向に対して後方Ｂに傾斜した方向に流出する。そして、この流出した空気は、右側の熱交換器１５又は左側の熱交換器１５を通過して右側の吹出口２５ｂ又は左側の吹出口２５ｂから室内に吹き出される。
【００４５】
＜気流案内部＞
図７は、第１実施形態に係る室内機１１を正面から見たときの概略図であり、羽根車５１と、熱交換器１５，１５と、気流案内部９０との位置関係を示している。図８（Ａ）は、熱交換器１５と、気流案内部９０との位置関係を示す斜視図であり、図８（Ｂ）は、図７におけるＶＩＩＩＢ−ＶＩＩＩＢ線断面図である。
【００４６】
図７及び図８（Ａ），（Ｂ）に示すように、室内機１１は、気流案内部９０として一対の第１気流案内部９１，９１を備える。各第１気流案内部９１は、羽根車５１との間に熱交換器１５が介在していない壁部に向かう旋回流Ｃの一部を熱交換器１５の流入領域Ｅ１に案内する。具体的には次の通りである。
【００４７】
一方の第１気流案内部９１（上側第１気流案内部９１）は、ケース２０内の上部において天板２２に当接又は近接する位置でかつ回転軸Ａに対して右側に偏った位置に設けられている。上側第１気流案内部９１は、旋回流Ｃのうち、ケース２０の天板２２に向かう旋回流Ｃ１の一部を右側の熱交換器１５の流入領域Ｅ１に案内するためのものである。
【００４８】
上側第１気流案内部９１は、気流分岐部９１Ａと、気流戻し部９１Ｂとを有する。気流分岐部９１Ａは、天板２２に向かって流れる旋回流Ｃ１を周方向に沿う方向の流れＣ１１と周方向に対して径方向外側に逸れる方向の流れＣ１２とに分岐させる機能を有する。気流戻し部９１Ｂは、気流分岐部９１Ａによって周方向に対して径方向外側に逸れる方向に案内された流れＣ１２を右側の熱交換器１５の流入領域Ｅ１に案内する機能を有する。
【００４９】
気流分岐部９１Ａは、旋回流Ｃ１を周方向に案内する旋回流案内面Ｓと、旋回流Ｃ１の一部を周方向に対して径方向外側に逸れる方向に案内する第１案内面Ｇ１とを有する。旋回流案内面Ｓは、シュラウド５４の外周面に対向している。旋回流案内面Ｓと第１案内面Ｇ１は、旋回流Ｃ１の流れ方向の上流側の縁部同士が接続されており、回転軸Ａ方向に延びる稜線Ｒ１を形成している。旋回流案内面Ｓは、稜線Ｒ１から周方向に沿って天板２２に向かって延びる湾曲面（凹曲面）である。第１案内面Ｇ１は、稜線Ｒ１から周方向に対して径方向外側に逸れる方向に天板２２に向かって延びる湾曲面（凹曲面）である。
【００５０】
気流戻し部９１Ｂは、第１案内面Ｇ１によって案内された気流を熱交換器１５の流入領域Ｅ１側に案内する第２案内面Ｇ２を有する。第２案内面Ｇ２は、熱交換器１５における流入領域Ｅ１の前側の縁部から熱交換器１５の傾斜方向に沿う方向に前板２５側に向かって延びる平面である。第１案内面Ｇ１と第２案内面Ｇ２とは、天板２２側の部位同士が連続している。
【００５１】
なお、本実施形態では、上側第１気流案内部９１の気流戻し部９１Ｂは、図７において実線で示すように、気流分岐部９１Ａの近傍にのみ設けられているが、例えば図７において二点鎖線で示すように仕切り部材４１側に向かって延設されていてもよい。
【００５２】
他方の第１気流案内部９１（下側第１気流案内部９１）は、ケース２０内の下部において仕切り部材４１に当接又は近接する位置でかつ回転軸Ａに対して左側に偏った位置に設けられている。下側第１気流案内部９１は、上述の上側第１気流案内部９１と同様の構成を有しており、回転軸Ａに対して上側第１気流案内部９１の反対側の位置（対角の位置）に設けられている。下側第１気流案内部９１は、旋回流Ｃのうち、仕切り部材４１に向かう旋回流Ｃ３の一部を左側の熱交換器１５の流入領域Ｅ１に案内するためのものである。
【００５３】
下側第１気流案内部９１は、上述の上側第１気流案内部９１と同様の構成を有しており、気流分岐部９１Ａと、気流戻し部９１Ｂとを有する。気流分岐部９１Ａは、仕切り部材４１に向かって流れる旋回流Ｃ３を周方向に沿う方向の流れＣ３１と周方向に対して径方向外側に逸れる方向の流れＣ３２とに分岐させる機能を有する。気流戻し部９１Ｂは、気流分岐部９１Ａによって周方向に対して径方向外側に逸れる方向に案内される流れＣ３２を左側の熱交換器１５の流入領域Ｅ１に案内する機能を有する。
【００５４】
気流分岐部９１Ａは、旋回流Ｃ３を周方向に案内する旋回流案内面Ｓと、旋回流Ｃ３の一部を周方向に対して径方向外側に逸れる方向に案内する第１案内面Ｇ１とを有する。旋回流案内面Ｓは、シュラウド５４の外周面に対向している。旋回流案内面Ｓと第１案内面Ｇ１は、旋回流Ｃ３の流れ方向の上流側の縁部同士が接続されており、回転軸Ａ方向に延びる稜線Ｒ１を形成している。旋回流案内面Ｓは、稜線Ｒ１から周方向に沿って仕切り部材４１に向かって延びる湾曲面（凹曲面）である。第１案内面Ｇ１は、稜線Ｒ１から周方向に対して径方向外側に逸れる方向に仕切り部材４１に向かって延びる湾曲面（凹曲面）である。
【００５５】
気流戻し部９１Ｂは、第１案内面Ｇ１によって案内された気流を左側の熱交換器１５の流入領域Ｅ１側に案内する第２案内面Ｇ２を有する。第２案内面Ｇ２は、熱交換器１５における流入領域Ｅ１の前側の縁部から熱交換器１５の傾斜方向に沿う方向に前板２５側に向かって延びる平面である。第１案内面Ｇ１と第２案内面Ｇ２とは、仕切り部材４１側の部位同士が連続している。
【００５６】
なお、本実施形態では、下側第１気流案内部９１の気流戻し部９１Ｂは、図７において実線で示すように、気流分岐部９１Ａの近傍にのみ設けられているが、例えば図７において二点鎖線で示すように天板２２側に向かって延設されていてもよい。
【００５７】
図９（Ａ）は、第１実施形態に係る室内機の変形例であって、熱交換器１５と、気流案内部９０との位置関係を示す斜視図であり、図１０（Ｂ）は、その断面図である。
【００５８】
この変形例の室内機１１は、主流を案内するための一対の主流案内部９５をさらに備えている点で、図８（Ａ），（Ｂ）などに示す室内機１１と異なっており、他の構成は、図８（Ａ），（Ｂ）などに示す室内機１１と同様である。
【００５９】
一方の主流案内部９５は、正面視又は背面視で上側第１気流案内部９１の気流分岐部９１Ａとほぼ同形状を有しており、その気流分岐部９１Ａよりも背板２６側に気流分岐部９１Ａに隣接して配置されている。他方の主流案内部９５は、正面視又は背面視で下側第１気流案内部９１の気流分岐部９１Ａとほぼ同形状を有しており、その気流分岐部９１Ａよりも背板２６側に気流分岐部９１Ａに隣接して配置されている。
【００６０】
各主流案内部９５は、主流Ｍを周方向にスムーズに案内するための案内面Ｍ１と、羽根車５１から遠心方向に吹き出された主流Ｍを流入領域Ｅ１にスムーズに案内するための案内面Ｍ２とを有する。案内面Ｍ１と案内面Ｍ２は、主流Ｍの流れ方向の上流側の縁部同士が接続されており、回転軸Ａ方向に延びる稜線Ｒ２を形成している。案内面Ｍ１は、稜線Ｒ２から周方向に沿って天板２２に向かって延びる湾曲面（凹曲面）である。案内面Ｍ２は、稜線Ｒ２から周方向に対して径方向外側に逸れる方向に天板２２に向かって延びる湾曲面（凹曲面）である。
【００６１】
主流案内部９５は、気流分岐部９１Ａと一体に成形されていてもよく、別体として成形されたものであってもよい。
【００６２】
［第２実施形態］
図１０は、本発明の第２実施形態に係る室内機１１を正面から見たときの概略図であり、羽根車５１と、熱交換器１５，１５と、気流案内部９０との位置関係を示している。図１１（Ａ）は、熱交換器１５と、気流案内部９０との位置関係を示す斜視図であり、（Ｂ）は、図１０におけるＸＩＢ−ＸＩＢ線断面図である。
【００６３】
図１０及び図１１（Ａ），（Ｂ）に示すように、室内機１１の気流案内部９０は、一対の第２気流案内部９２，９２を備える。各第２気流案内部９２は、羽根車５１との間に熱交換器１５が介在していない壁部に沿って流れる旋回流Ｃの一部を熱交換器１５の流入領域Ｅ１に案内する。具体的には次の通りである。
【００６４】
一方の第２気流案内部９２（上側第２気流案内部９２）は、ケース２０内の上部において天板２２に当接又は近接する位置でかつ回転軸Ａに対して左側に偏った位置に設けられている。上側第２気流案内部９２は、旋回流Ｃのうち、ケース２０の天板２２に沿って流れる旋回流Ｃ２の一部を左側の熱交換器１５の流入領域Ｅ１に案内するためのものである。
【００６５】
上側第２気流案内部９２は、スロープ部９２Ａと、気流戻し部９２Ｂとを有する。スロープ部９２Ａは、天板２２に沿って流れる旋回流Ｃ２を緩やかにすくいあげるように気流戻し部９２Ｂの方向に案内しながら、旋回流Ｃと主流Ｍ側への気流とに分岐させるためのものである。気流戻し部９２Ｂは、スロープ部９２Ａに案内された気流を流入領域Ｅ１に案内するためのものである。
【００６６】
スロープ部９２Ａは、天板２２に対して緩やかな傾斜面（又は湾曲面）となるように天板２２に対する角度θ１が小さく抑えられた第１案内面Ｇ１（スロープ面Ｇ１）を有する。角度θ１は、好ましくは４５度未満に設定されるのがよい。
【００６７】
この第１案内面Ｇ１は、シュラウド５４に対して径方向外側に対向している。第１案内面Ｇ１は、天板２２に沿って流れる旋回流Ｃ２を緩やかな傾斜に沿わせて気流戻し部９２Ｂに案内する。
【００６８】
気流戻し部９２Ｂは、第１案内面Ｇ１によって案内された気流を熱交換器１５の流入領域Ｅ１側に案内する第２案内面Ｇ２を有する。第２案内面Ｇ２は、熱交換器１５における流入領域Ｅ１の前側の縁部から熱交換器１５の傾斜方向に沿う方向に前板２５側に向かって延びる平面である。第１案内面Ｇ１における気流方向（下流側）の縁部は、第２案内面Ｇ２と連続している。
【００６９】
第１案内面Ｇ１を流れる旋回流Ｃ２のうち、前板２５側を流れる気流は、第２案内面Ｇ２又はその近傍に到達すると、第２案内面Ｇ２に案内されて第２案内面Ｇ２に沿う方向に向きを変え、シュラウド５４の周囲を引き続き旋回する（旋回流Ｃ２１）。
【００７０】
一方、第１案内面Ｇ１を流れる旋回流Ｃ２のうち、背板２６側を流れる気流は、第２案内面Ｇ２又はその近傍に到達すると、第２案内面Ｇ２の傾斜に沿って熱交換器１５の流入領域Ｅ１側に案内されて主流と合流する（旋回流Ｃ２２）。第１案内面Ｇ１は、天板２２との角度θ１が上述のように小さく抑えられているので、図１１（Ａ）に示すように、第１案内面Ｇ１及び第２案内面Ｇ２に沿って主流に案内される気流は、主流の方向（略水平方向）への角度変化が小さくて済む。したがって、旋回流Ｃ２の一部をスムーズに主流に合流させることができるので、主流の乱れが抑制され、騒音の増大が抑制される。
【００７１】
なお、羽根車５１の複数の羽根５５の回転に伴う周期的な圧力変化に起因して周期的な騒音（Ｎｚ音）が生じることがあり、このＮｚ音を抑制する観点では、第１気流案内部９１及び第２気流案内部９２を羽根車５１に近づけすぎないようにする。特に、各気流案内部の角部（例えば三角形状の第２気流案内部９２の頂点部分）を羽根車５１に近づけすぎないようにする。
【００７２】
他方の第２気流案内部９２（下側第２気流案内部９２）は、ケース２０内の下部において仕切り部材４１に当接又は近接する位置でかつ回転軸Ａに対して右側に偏った位置に設けられている。下側第２気流案内部９２は、上述の上側第２気流案内部９２と同様の構成を有しており、回転軸Ａに対して上側第２気流案内部９２の反対側の位置（対角の位置）に設けられている。下側第２気流案内部９２は、旋回流Ｃのうち、ケース２０の天板２２に沿って流れる旋回流Ｃ４の一部を右側の熱交換器１５の流入領域Ｅ１に案内するためのものである。なお、下側第２気流案内部９２の詳細な構造については、上述の上側第２気流案内部９２と同様であるため、その説明を省略する。
【００７３】
［第３実施形態］
図１２は、本発明の第３実施形態に係る空気調和機の室内機１１を正面から見たときの概略図であり、羽根車５１と、熱交換器１５と、気流案内部９０との位置関係を示している。
【００７４】
この第３実施形態に係る室内機１１は、気流案内部９０として、上述した一対の第１気流案内部９１と、一対の第２気流案内部９２とを備えている。各気流案内部の構成については、第１実施形態及び第２実施形態において説明した通りであるので、詳細な説明は省略する。
【００７５】
以上説明したように、本実施形態では、熱交換器１５の流入領域Ｅ１が前後方向においてシュラウド５４よりも背板２６側にずれた位置に設けられていても、旋回流Ｃの一部は、気流案内部９０によって熱交換器１５の流入領域Ｅ１に案内されるので、旋回流Ｃの風量が低減される。これにより、旋回流Ｃの風速が増大するのを抑制できるので、騒音の増大を抑制することができる。したがって、このような構成を採用すれば、空気調和機をコンパクト化しつつも騒音増加を抑制することができる。
【００７６】
また、本実施形態では、第２壁部２２，４１に向かって流れる旋回流Ｃは、第２壁部２２，４１に衝突する前に、旋回流案内面Ｓと第１案内面Ｇ１との縁部同士が接続された部位（稜線Ｒ１）においてシュラウド５４の周方向の流れと周方向に対して径方向外側に逸れる方向の流れとに分岐される。これにより、第２壁部２２，４１に向かって流れる旋回流Ｃが第２壁部２２，４１に衝突するのが回避されるので、旋回流Ｃの乱れが抑制される。そして、旋回流Ｃの一部を、第１案内面Ｇ１及び第２案内面Ｇ２によって流入領域Ｅ１に円滑に案内することができる。
【００７７】
また、本実施形態では、気流案内部９０は、第２壁部２２，４１に沿って流れる旋回流Ｃの一部を流入領域Ｅ１円滑に案内することができる。
【００７８】
［他の実施形態］
以上、本発明の実施形態について説明したが、本発明はこれらの実施形態に限定されるものではなく、その趣旨を逸脱しない範囲で種々変更、改良等が可能である。
【００７９】
例えば、前記実施形態では、第１気流案内部９１における第１案内面Ｇ１、第２案内面Ｇ２及び旋回流案内面Ｓが湾曲面（凹曲面）である場合を例示したが、これに限定されない。これらの第１案内面Ｇ１、第２案内面Ｇ２及び旋回流案内面Ｓは、平面（傾斜面）であってもよく、凸曲面であってもよい。
【００８０】
また、前記実施形態では、第２気流案内部９２における第１案内面Ｇ１及び第２案内面Ｇ２が平面である場合を例示したが、これに限定されない。これらの第１案内面Ｇ１及び第２案内面Ｇ２は、凹曲面や凸曲面などの湾曲面であってもよく、凸曲面であってもよい。
【００８１】
前記実施形態では、熱交換器１５が傾斜配置されている場合を例示したが、これに限定されない。熱交換器１５は、例えば前後方向に平行な姿勢で配置されていてもよい。
【００８２】
前記実施形態では、羽根車５１の左右両サイドに一対の熱交換器１５，１５を備える場合を例示したが、これに限定されない。例えば、羽根車５１の周囲に熱交換器１５を略Ｕ字状に配置した形態であってもよい。
【００８３】
前記実施形態では、モータ４９としてアウターロータ型モータを用いた場合を例示したが、これに限定されない。モータ４９としては、ロータがステータよりも内側に配置されるタイプのモータを用いることもできる。
【符号の説明】
【００８４】
１１  室内機
１５  熱交換器
２０  ケース
２２  天板
２５  前板（化粧前板）
２６  背板
４１  仕切り部材
５１  羽根車
５４  シュラウド
５５  羽根
９０  気流案内部
９１  第１気流案内部
９２  第２気流案内部
Ａ  モータの回転軸
Ｃ  旋回流
Ｅ１  流入領域
Ｅ２  非流入領域
Ｍ  主流
【図１】
2013137174.tif 000003
【図２】
2013137174.tif 000004
【図３】
2013137174.tif 000005
【図４】
2013137174.tif 000006
【図５】
2013137174.tif 000007
【図６】
2013137174.tif 000008
【図７】
2013137174.tif 000009
【図８】
2013137174.tif 000010
【図９】
2013137174.tif 000011
【図１０】
2013137174.tif 000012
【図１１】
2013137174.tif 000013
【図１２】
2013137174.tif 000014